(57)【要約】【課題】装置構成の大型化の原因となる専用のリジェクト紙幣収納部を常設することなく、還流式紙幣収納部から複数枚の低額紙幣を一枚ずつ連続して釣銭や返却金として払い出す際に重送等が検知された場合に、他の紙幣収納部をリジェクト紙幣収納部として兼用させて小型化を図った還流式紙幣処理装置を提供する。【解決手段】入出金部４と、低額紙幣を一枚ずつ出入れ自在に収容する還流式紙幣収納部２０と、還流式紙幣収納部の下流側に配置され且つ搬送経路５から搬送されてきた高額紙幣、或いは低額紙幣を還流不能に収納する高額・回収紙幣収納部３０と、出金保留部４０と、重送検知用のセンサ５０と、これらを制御する制御手段６０と、を備え、搬送経路５は、入出金部４と高額・回収紙幣収納部とを直結する主搬送経路６と、分岐搬送経路７と、出金経路８と、を備え、搬送機構１０は、単一の駆動源と、該駆動源からの駆動力を主搬送経路、分岐搬送経路、及び出金経路に伝達する駆動力伝達機構と、を備えている。【選択図】図１
2008186424.tif 000002
【特許請求の範囲】
【請求項１】
金種の異なる紙幣を一枚ずつ受入れ、且つ排出可能な入出金部と、該入出金部から一枚ずつ受け入れた紙幣を装置本体内に搬送する搬送経路と、該搬送経路に沿って紙幣を搬送する駆動力を生成する搬送機構と、該搬送経路に導入されてきた紙幣の金種を識別する識別部と、該搬送経路から搬送されてきた低額紙幣を一枚ずつ単一の入出金口から出入れ自在に収容するスイッチバック還流式紙幣収納部と、該搬送経路から搬送されてきた高額紙幣、或いは低額紙幣を還流不能に収納する高額・回収紙幣収納部と、該搬送経路から搬送されてきた低額紙幣を一枚ずつ受け入れて堆積すると共に堆積した紙幣束を一括して外部に出金する出金保留部と、前記スイッチバック還流式紙幣収納部と前記入出金部との間の搬送経路上に配置された重送検知用のセンサと、これらを制御する制御手段と、を備えた還流式紙幣処理装置であって、
前記搬送経路は、前記入出金部と前記高額・回収紙幣収納部の受入れ口とを直結する主搬送経路と、該主搬送経路上に設けた分岐部から分岐して前記スイッチバック還流式紙幣収納部の入出金口に延びる分岐搬送経路と、前記主搬送経路から前記出金保留部へ延びる出金経路と、を備え、
前記搬送機構は、駆動源と、該駆動源からの駆動力を前記主搬送経路、前記分岐搬送経路、及び前記出金経路に伝達する駆動力伝達機構と、を備えていることを特徴とする還流式紙幣処理装置。
【請求項２】
前記制御手段は、前記入出金部から高額紙幣が投入された場合には前記分岐部より下流側の主搬送経路内に該高額紙幣を決済条件が確定するまで一時保留し、決済条件が確定した場合、或いは後続の紙幣が投入された場合に、該高額紙幣を前記高額・回収紙幣収納部に移送することを特徴とする請求項１に記載の還流式紙幣処理装置。
【請求項３】
前記制御手段は、投入された前記後続の紙幣を前記スイッチバック還流式紙幣収納部に収納すると共に、前記高額紙幣を前記高額・回収紙幣収納部に移送した後で、リジェクト操作がなされた場合には、前記スイッチバック還流式紙幣収納部から前記後続紙幣、及び前記高額紙幣の額面に相当する枚数の低額紙幣を前記出金保留部に払い出すことを特徴とする請求項２に記載の還流式紙幣処理装置。
【請求項４】
前記制御手段は、前記スイッチバック還流式紙幣収納部から複数枚の低額紙幣を一枚ずつ前記出金保留部に移送する過程で前記センサによって重送が検知された場合には、重送検知された低額紙幣の搬送を停止してから前記高額・回収紙幣収納部に移送し、その後前記スイッチバック還流式紙幣収納部からの移送を再開することを特徴とする請求項１、２又は３に記載の還流式紙幣処理装置。
【発明の詳細な説明】
【技術分野】
【０００１】
本発明は例えば貨幣を入出金する機能を備えた各種自動販売機、入出金装置、両替機等の貨幣取扱装置に装備される紙幣処理装置の改良に関し、詳細には還流式紙幣収納部を備えた還流式紙幣処理装置において、装置構成の大型化の原因となる格別のリジェクト紙幣収納部を設けることなく、他の紙幣収納部をリジェクト紙幣収納部として兼用させて小型化を図った還流式紙幣処理装置に関する。
【背景技術】
【０００２】
投入された紙幣を受け入れる入金機能や、釣り銭や返却金として紙幣を払い出す出金機能を備えた紙幣処理装置は、各種自動販売機、入出金装置、両替機等に装備されており、この紙幣処理装置には始業時に準備した紙幣、或いは稼働中に投入された紙幣を金種別に保管するための紙幣収納部が装備されている。
この種の紙幣処理装置において、千円紙幣の如き低額紙幣を釣銭として払い出すように構成する場合には、投入された千円紙幣を収納するばかりでなく、この千円紙幣を釣銭として払い出すように機能する還流式紙幣収納部を装備するのが一般である。
還流式紙幣収納部とは、始業時に予め収納しておいた紙幣のみならず、装置の稼働中に利用者が投入した紙幣を一旦収納する一方で、この紙幣を釣銭や返却金等とするために外部へ繰り出す（排出する）機能を備えたタイプの紙幣収納部を指称する。また、還流式の紙幣収納部にはループ方式とスイッチバック方式がある。ループ方式は紙幣の入口（受入れ方向）と出口（繰り出し方向）を異ならせた方式であり、スイッチバック方式とは同じ出入り口から紙幣の受け入れと繰り出しを行う方式である。
【０００３】
図２は従来のスイッチバック方式の還流式紙幣処理装置の構成を示している。
紙幣処理装置１０１は、還流式の紙幣処理機構１０２と、この紙幣処理機構を内部に収容する外装体１０３と、から概略構成されている。
紙幣処理機構１０２は、金種の異なる紙幣を一枚ずつ受入れ、且つ排出可能な入出金部１０４と、入出金部１０４から一枚ずつ受け入れた紙幣を装置本体内に搬送する搬送経路１０５と、搬送経路１０５に沿って紙幣を搬送するための駆動力を生成、伝達するローラ、ベルト、分岐ゲート１１１、モータ、ソレノイド等から成る搬送機構１１０と、入金取込部１０４の直下流側の搬送経路上に配置されて一枚ずつ給送されてくる紙幣の真贋、金種を判定する識別装置１１５と、搬送経路１０５から搬送されてきた低額紙幣（例えば、千円紙幣）を一枚ずつ単一の入出金口から出入れ自在に収容するスイッチバック還流式紙幣収納部１２０と、還流式紙幣収納部１２０の下流側に配置され且つ搬送経路１０５から搬送されてきた高額紙幣（例えば、一万円紙幣）を還流不能に収納する回収紙幣収納部１３０と、還流式紙幣収納部１２０の上流側に配置され且つ搬送経路から搬送されてきた低額紙幣を一枚ずつ受け入れて堆積すると共に堆積した紙幣束を釣銭等として一括して外部に出金する出金保留部１４０と、還流式紙幣収納部１２０と入出金部１０４との間の搬送経路上に配置された重送検知用のセンサ１５０と、出金保留部１４０よりも上流側に配置されたリジェクト紙幣収納部１６０と、これらを制御する制御手段１７０と、を備えている。
搬送機構１１０は、搬送経路１０５を全長に亘って一括して前進、停止、後退させる構成を備えており、搬送経路の一部だけを異なった搬送方向に動作させることはできない。
【０００４】
以上の構成において、入出金部１０４から例えば一枚の一万円紙幣が投入された場合、制御手段１７０は、この一万円紙幣を還流式紙幣収納部１２０と高額紙幣収納部１３０との間に設けた一時保留経路Ｒ中に保留した状態で利用者による決済完了、或いは後続紙幣の投入を待機する。取引が成立した場合や、同一の利用者から後続紙幣が投入された場合には、一万円紙幣を高額紙幣収納部１３０に移送して格納する。
取引成立によって一万円紙幣を高額紙幣収納部１３０に格納した後で千円紙幣による釣銭の払出しが必要となった場合には、還流式紙幣収納部１２０から必要枚数を出金保留部１４０に一枚ずつ移送し、紙幣束として機外に払出す。ところで、還流式紙幣収納部１２０から千円紙幣を払い出す際に重送が発生した場合には、何枚重送されたか不明であるために返却すべき枚数を正確にカウントし得ない事態が発生する。そのために還流紙幣収納部１２０よりも上流側位置に配置したセンサ１５０によって重送の有無（紙幣汚れの有無を含む）を検知し、重送であると検知された紙幣については出金保留部１４０へ移送せずにリジェクト紙幣収納部１６０に移送し格納していた。しかし、紙幣の重送、或いは紙幣汚れによる異常検知は、極めてまれにしか発生ないにも関わらずリジェクト紙幣収納部を常設すると、設置のためのスペース、コスト、リジェクト紙幣収納部へ紙幣を搬送するための機構の増設が必要となり、装置の大型化、複雑化、高コスト化を招く原因となっていた。
【０００５】
また、先行して投入された一万円紙幣が一時保留経路Ｒ内に保留された状態で、同一利用者により千円紙幣が後続して投入されると、制御手段１７０は駆動機構１１０を全体として下流側へ向けて駆動することにより先行して保留されていた一万円紙幣を高額紙幣収納部１３０へ格納すると共に、千円紙幣を還流式紙幣収納部１２０に格納する。この状態において取引が不成立となり、利用者が取引中止の操作を行うと、一万一千円分の紙幣を利用者に返却する必要が生じるが、高額紙幣収納部１３０は繰出し機能を有しないので一万円紙幣を払出すことは不可能である。そこで、制御手段１７０は、還流式紙幣収納部１２０から１１枚の千円紙幣を順次出金保留部１４０に送り、紙幣束として一括して返却することとなる。この場合にも、還流式紙幣収納部１２０から千円紙幣を払い出す際に重送が発生した場合には返却すべき枚数を正確にカウントし得ない事態が発生する。そのためにセンサ１５０によって重送の有無を検知し、重送であると検知された紙幣については出金保留部１４０へ移送せずにリジェクト紙幣収納部１６０に移送していた。
【０００６】
このような構成を備えた紙幣処理機構１０２は、これを適用する紙幣処理装置１０１の種類、用途にもよるが、紙幣返却のための出金時に紙幣がリジェクトされてリジェクト紙幣収納部に格納されるという事態は頻繁には発生しない。実際には、一日に一件発生するか否かという程度の低い頻度でしか発生しない。それにも関わらず、従来はこのような稀な事態を想定してリジェクト紙幣収納部を常設していた。このため、リジェクト紙幣収納部を設置するスペース、コスト、リジェクト紙幣収納部へ紙幣を搬送するための機構の増設が必要となり、装置の大型化、複雑化、高コスト化を招く原因となっていた。各種紙幣処理装置に対する小型化の要請が高まる中で、このような大型化をもたらす構成は採用することが困難である。
特許文献１乃至３には、正常であると判別できない紙幣を収納するリジェクト紙幣収納部を備えた紙幣処理装置について開示されているが、上記と同様に装置の大型、複雑化、高コスト化を招いている。
【０００７】
【特許文献１】特開２００６−１２７１３２公報
【特許文献２】特開２００６−１９０３３３公報
【特許文献３】特開２００６−２３６２１２公報
【発明の開示】
【発明が解決しようとする課題】
【０００８】
以上のように従来のスイッチバック還流式紙幣収納部と高額・回収紙幣収納部を備えた紙幣処理装置においては、釣銭、或いは取引中止による返却金として還流式紙幣収納部から低額紙幣を払い出す場合に低額紙幣の重送の有無を検知し、重送が発生した場合には別個に設けたリジェクト紙幣収納部に重送紙幣を移送していた。しかし、重送や、リジェクト紙幣が発生することは極めて稀であるにも関わらず、リジェクト紙幣専用の収納部を常設していため、装置の大型、複雑化、高コスト化を招いていた。
本発明は上記に鑑みてなされたものであり、還流式紙幣収納部を備えた還流式紙幣処理装置において、装置構成の大型化の原因となる専用のリジェクト紙幣収納部を常設することなく、還流式紙幣収納部から複数枚の低額紙幣を一枚ずつ連続して釣銭や返却金として払い出す際に重送等が検知された場合に、他の紙幣収納部をリジェクト紙幣収納部として兼用させて小型化を図った還流式紙幣処理装置を提供することを目的としている。
【課題を解決するための手段】
【０００９】
上記目的を達成するため、請求項１の発明に係る還流式紙幣処理装置は、金種の異なる紙幣を一枚ずつ受入れ、且つ排出可能な入出金部と、該入出金部から一枚ずつ受け入れた紙幣を装置本体内に搬送する搬送経路と、該搬送経路に沿って紙幣を搬送する駆動力を生成する搬送機構と、該搬送経路に導入されてきた紙幣の金種を識別する識別部と、該搬送経路から搬送されてきた低額紙幣を一枚ずつ単一の入出金口から出入れ自在に収容するスイッチバック還流式紙幣収納部と、該搬送経路から搬送されてきた高額紙幣、或いは低額紙幣を還流不能に収納する高額・回収紙幣収納部と、該搬送経路から搬送されてきた低額紙幣を一枚ずつ受け入れて堆積すると共に堆積した紙幣束を一括して外部に出金する出金保留部と、前記スイッチバック還流式紙幣収納部と前記入出金部との間の搬送経路上に配置された重送検知用のセンサと、これらを制御する制御手段と、を備えた還流式紙幣処理装置であって、前記搬送経路は、前記入出金部と前記高額・回収紙幣収納部の受入れ口とを直結する主搬送経路と、該主搬送経路上に設けた分岐部から分岐して前記スイッチバック還流式紙幣収納部の入出金口に延びる分岐搬送経路と、前記主搬送経路から前記出金保留部へ延びる出金経路と、を備え、前記搬送機構は、駆動源と、該駆動源からの駆動力を前記主搬送経路、前記分岐搬送経路、及び前記出金経路に伝達する駆動力伝達機構と、を備えていることを特徴とする。
高額紙幣を収容する高額・回収紙幣収納部と、低額紙幣を出入れ自在に収納する還流式紙幣収納部と、全体として一体できに動作する搬送機構と、を備えた紙幣処理装置において、リジェクト紙幣を収納するためのリジェクト紙幣収納部を格別に設けることなく、高額紙幣収納部をリジェクト紙幣回収用に兼用したので、構成のシンプル化、部品点数の削減、小型化、低コスト化を同時に実現することが可能となった。
【００１０】
請求項２の発明は、請求項１において、前記制御手段は、前記入出金部から高額紙幣が投入された場合には前記分岐部より下流側の主搬送経路内に該高額紙幣を決済条件が確定するまで一時保留し、決済条件が確定した場合、或いは後続の紙幣が投入された場合に、該高額紙幣を前記高額・回収紙幣収納部に移送することを特徴とする。
主搬送経路の一部を高額紙幣の一時保留手段として利用するため、構成をシンプル化することができる。
【００１１】
請求項３の発明は、請求項２において、前記制御手段は、投入された前記後続の紙幣を前記スイッチバック還流式紙幣収納部に収納すると共に、前記高額紙幣を前記高額・回収紙幣収納部に移送した後で、リジェクト操作がなされた場合には、前記スイッチバック還流式紙幣収納部から前記後続紙幣、及び前記高額紙幣の額面に相当する枚数の低額紙幣を前記出金保留部に払い出すことを特徴とする。
高額紙幣を一旦高額・回収紙幣収納部に格納するとこれを払出すことができないため、返却用の紙幣としては還流式紙幣収納部内の低額紙幣を利用することとなる。
【００１２】
請求項４の発明は、請求項１、２又は３において、前記制御手段は、前記スイッチバック還流式紙幣収納部から複数枚の低額紙幣を一枚ずつ前記出金保留部に移送する過程で前記センサによって重送が検知された場合には、重送検知された低額紙幣の搬送を停止してから前記高額・回収紙幣収納部に移送し、その後前記スイッチバック還流式紙幣収納部からの移送を再開することを特徴とする。
還流式紙幣収納部から出金保留部に低額紙幣を移送する過程で重送（紙幣汚損）が検知された場合には、これらの紙幣を払い出すことはできないので、高額・回収紙幣収納部に移送して格納する。その後、還流式紙幣収納部から低額紙幣の移送を再開するので、利用者は適切な金額の返却を受けることができる。
【発明の効果】
【００１３】
紙幣処理装置を備えた自動販売機等の機器に対して小型化、シンプル化、低コスト化が求められる場合、利用頻度の少ないリジェクト紙幣専用の収納部はネックとなる。本発明では、高額紙幣収納部を利用してリジェクト紙幣や重送紙幣（汚損紙幣）を収容するようにしたので、装置の小型化、シンプル化、低コスト化を実現することが可能となった。
リジェクトや、重送紙幣の発生は、頻度が少ないために、リジェクト専用の収納部を設ける必要性は低く、高額紙幣収納部を兼用することによって格別の不具合は発生しない。
【発明を実施するための最良の形態】
【００１４】
以下、本発明を図面に示した実施の形態により詳細に説明する。
図１は本発明の一実施形態に係る紙幣処理装置の概略構成図である。
紙幣処理装置１は、例えば食券等の自動販売機（券売機）に装備されて紙幣の受け入れ、釣銭等としての紙幣の払い出しの処理を行う機能を有する。
紙幣処理装置１は、紙幣処理機構２と、この紙幣処理機構２を内部に収容する外装体３と、から概略構成されている。
紙幣処理機構２は、金種の異なる紙幣を一枚ずつ受入れ、且つ排出可能な入出金部４と、入出金部４から一枚ずつ受け入れた紙幣を装置本体内に搬送する搬送経路５と、搬送経路５に沿って紙幣を搬送する駆動力を生成、伝達するための駆動源（モータ）、ゲート１１、ソレノイド、ローラ、ベルト等から成る搬送機構１０と、入出金部４の下流側の搬送経路上に配置されて一枚ずつ給送されてくる紙幣の真贋、金種を判定する識別装置１５と、搬送経路５に導入されてきた紙幣の金種を識別する識別部１５と、搬送経路５から搬送されてきた低額紙幣を一枚ずつ単一の入出金口から出入れ自在に収容するスイッチバック還流式紙幣収納部２０と、還流式紙幣収納部２０の下流側に配置され且つ搬送経路から搬送されてきた高額紙幣、或いは低額紙幣を還流不能に収納する高額・回収紙幣収納部３０と、還流式紙幣収納部２０の上流側に配置され且つ搬送経路から搬送されてきた低額紙幣を一枚ずつ受け入れて堆積すると共に堆積した紙幣束を一括して外部に出金する出金保留部４０と、還流式紙幣収納部２０と入出金部４との間の搬送経路上に配置された重送検知用のセンサ５０と、これらを制御する制御手段６０と、を備えている。
【００１５】
入出金部４は、外部から一枚ずつ入金されてきた紙幣を受入れて搬送経路５に送り出す機能と、識別部１５により適正でないと判断されて逆送された紙幣を機外に排出するための機能と、を備えている。
搬送経路５、及び搬送機構１０は、入出金部４から一枚ずつ給送された紙幣（低額紙幣、高額紙幣）を所定のルートにて搬送することにより金種別に還流式紙幣収納部２０、或いは高額・回収紙幣収納部３０に送り込む仕分け搬送機能と、紙幣収納部２０から一枚ずつ繰り出されてきた低額紙幣を釣銭、或いは返却金として出金保留部４０から外部へ排出する払出し機能と、投入された高額紙幣を還流式紙幣収納部２０と高額・回収紙幣収納部３０との間に設けた一時保留経路Ｒに保留（エスクロ：escrow）させる一時保留機能等を有する。
搬送経路５は、入出金部４と高額・回収紙幣収納部３０の受入れ口とを直結する主搬送経路６と、主搬送経路６上に設けた分岐部７ａから分岐して還流式紙幣収納部２０の入出金口に延びる分岐搬送経路７と、主搬送経路６から出金保留部４０へ延びる出金経路８と、を備えている。分岐部７ａと高額・回収紙幣収納部３０との間の主搬送経路６に一時保留経路Ｒを設けることにより、投入された高額紙幣を一時保留できるように構成している。一時保留経路Ｒは、主搬送経路の一部を利用するに過ぎないため、格別の機構部材等を付加する必要がない。
【００１６】
搬送機構１０は、単一の駆動源（モータ）と、駆動源からの駆動力を主搬送経路６、分岐搬送経路７、及び出金経路８に伝達する駆動力伝達機構（ゲート１１、ローラ、ベルト、ソレノイド等）と、を備えている。
制御手段６０からの制御によって各ゲート１１、図示しないローラ、及びローラに巻掛けられて紙幣を搬送するベルトを切り替え駆動することにより、搬送機構１０を全体として前進、停止、逆送させることにより、上記の各機能を実現することができる。
本発明では、格別のリジェクト紙幣収納部を設けず、高額・回収紙幣収納部３０を利用してリジェクト紙幣を収納するように構成したので、構成をシンプル化、小型化することができた。
【００１７】
上記の如き構成を備えた紙幣処理装置１において、制御手段６０は、入出金部４から高額紙幣（例えば、一万円紙幣）が投入された場合には、分岐部７ａよりも下流側の主搬送経路（一時保留経路Ｒ）内に高額紙幣を決済条件確定まで一時保留し、決済条件確定後に高額紙幣を高額・回収紙幣収納部３０に移送する。この場合には、取引の成立によって高額紙幣を受け入れても差し支えない状態となるからである。
一方、取引の成立前に利用者によって取引中止の操作がなされた場合は、一時保留路Ｒにある高額紙幣を出金保留部へ移送し、利用者に返却する。
或いは、一時保留経路Ｒ内に高額紙幣を保留した状態において、後続の低額紙幣（例えば、千円紙幣）が投入されてこれを還流式紙幣収納部２０に収納する場合には、高額紙幣を高額・回収紙幣収納部３０に移送する。本実施形態の搬送機構１０は全長に亘って一体的に前進搬送、停止、逆送の各動作を行う構成であるため、後続の低額紙幣を還流式紙幣収納部２０内に収納するために搬送機構１０を前進搬送させる場合には、一時保留経路Ｒ内の高額紙幣をも同様に前進搬送させて高額・回収紙幣収納部３０内に収納せざるを得ないからである。
【００１８】
次に、制御手段６０は、先行して投入された高額紙幣を一時保留経路Ｒ内に保留した状態において、後続の低額紙幣が投入され且つ該低額紙幣を還流式紙幣収納部２０に収納する場合には、取引の成立を待たずに高額紙幣を高額・回収紙幣収納部３０に移送することとなる。その後、利用者によって取引中止の操作がなされた場合には、還流式紙幣収納部２０から、後続の低額紙幣と、高額紙幣の額面に相当する枚数の低額紙幣を出金保留部４０に払い出す。
制御手段６０は、還流式紙幣収納部２０から複数枚の低額紙幣を一枚ずつ出金保留部４０に移送する過程でセンサ５０によって重送（紙幣の汚れを含む）が検知された場合には、重送検知された低額紙幣の搬送を停止してから、これらをリジェクト紙幣として高額・回収紙幣収納部３０に移送する。その後、還流式紙幣収納部２０からの低額紙幣の移送を再開し、必要枚数を出金保留部４０に移送して堆積させてから一括して機外に払い出す。
先に投入された高額紙幣を一時保留部Ｒ内に保留した状態において利用者との間で取引が成立し、低額紙幣を釣銭として払い出す必要が生じた場合にも還流式紙幣収納部２０から紙幣の払出しが行われるが、この払出し過程で重送（汚損紙幣）が検知された場合にはこれらの紙幣についてもリジェクト紙幣として高額・回収紙幣収納部３０への移送処理がなされる。
【００１９】
このように本発明においては、取引不成立による低額紙幣の払出し時、及び取引中止による低額紙幣の払出し時に低額紙幣の重送等が検知された場合に、リジェクト紙幣を高額紙幣収納部を利用して収容するようにしたので、格別のリジェクト紙幣収納部を設ける必要がなくなり、装置構成のシンプル化による部品点数の減少、小型化、低コスト化を実現することが可能となった。
なお、高額・回収紙幣収納部３０をカセット式に機外に引出し、或いは取出し可能とすると共に、還流式紙幣収納部２０内の低額紙幣を高額・回収紙幣収納部３０内に全て移送できるように制御することにより、作業者が終業時に全紙幣を回収する際に高額・回収紙幣収納部３０から全ての紙幣を回収することが可能となり、極めて便利である。
【図面の簡単な説明】
【００２０】
【図１】本発明の一実施形態に係る紙幣処理装置の概略構成図である。
【図２】従来のスイッチバック還流式の紙幣処理装置の構成を示す説明図である。
【符号の説明】
【００２１】
１…紙幣処理装置、２…紙幣処理機構、３…外装体、４…入出金部、５…搬送経路、６…主搬送経路、７…分岐搬送経路、７ａ…分岐部、８…出金経路、１０…搬送機構、１１…ゲート、１５…識別装置、２０…スイッチバック還流式紙幣収納部、３０…高額・回収紙幣収納部、４０…出金保留部、５０…センサ、６０…制御手段。
【図１】
2008186424.tif 000003
【図２】
2008186424.tif 000004